(57)【特許請求の範囲】
【請求項１】
基板１１の周囲に各一対の側壁３及び端壁５を設けた梱包用緩衝体において、前記基板１１及び側壁３をなす基本部材１と、前記端壁５をなす端部材２とを別体とし、前記側壁３及び端壁５を各部材１、２の巻き込みにより形成し、前記各部材１、２に設けたロック片１７、３０をロック孔１８、３１に押し込んで側壁３及び端壁５における巻込の戻りを防止し、側壁３及び端壁５の頂部に交互に逆方向に振れる緩衝爪４、７を設け、また、前記端部材２の延長部を巻き込んで緩衝筒６を形成し、この緩衝筒６にも交互に逆方向に振れる緩衝爪８を設け、前記端壁５のスリット２９に前記側壁３の端部を差し込んで、前記緩衝筒６を基板１１の表面又は背面に沿わせ、前記両部材１、２を一体化したことを特徴とする梱包用緩衝体。
【請求項２】
前記一対の側壁３のうち緩衝爪４を有しないものに、中央部が湾入する弧状の折目線４０と、この折目線４０から両側へかけて離反する斜折線４１とを設け、側壁３の内面を折目線４０に沿って湾曲させると共に、側壁３の折目線４０，４１の間の部分を傾斜させ、その傾斜部分を前記スリット２９に設けた斜向部に対応させて、スリット２９に側壁３の端部を差し込んだことを特徴とする請求項１に記載の梱包用緩衝体。
【発明の詳細な説明】
【０００１】
【発明の属する技術分野】
この発明は、段ボール等の厚紙を素材として形成される梱包用緩衝体に関するものである。
【０００２】
【従来の技術】
従来より、厚紙製の梱包用緩衝体として、図９に示すようなものが知られている（特開平１０−２４５０２８号公報にて開示）。この緩衝体は、基板５１の周囲に各一対の側壁５２及び端壁５３を設け、前記側壁５２を、基板５１から順次延出した外側板５４、内側板５５及び重合板５６を巻き込んで形成し、外側板５４と内側板５５の稜部に、並列する切目及び千鳥状の折目を設けることにより、交互に逆方向に振れた緩衝爪５７を形成し、前記端壁５３を、内側板５５の両端縁から延出した内端板５８と、基板５１の両端縁から延出した外端板５９とを重ね合わせて形成し、各内端板５５の先端に設けた突合片６０を突き合わせて外端板５９のスリット６１から突出させ、外端板５９から延出した折返片６２を側壁５２の頂部下面に沿わせて外側へ折り曲げた構成となっている。
【０００３】
この緩衝体において、緩衝爪５７は、側壁５２の頂部を保形して、外側板５４と内側板５５の間隔を維持すると共に、外側板５４及び内側板５５の撓みを許容して、被梱包物への衝撃を緩和する。
【０００４】
【発明が解決しようとする課題】
しかしながら、上記のような緩衝体では、端壁５３側の緩衝を、外側板５４、突合片６０及び折返片６２の端面だけで行っているため、その方向から大きな衝撃を受けると、これらの端面が潰れて被梱包物に衝撃が伝わることがあった。
【０００５】
そこで、この発明は、厚紙製の梱包用緩衝体における端壁側の緩衝性を向上させることを課題とする。
【０００６】
【課題を解決するための手段】
上記のような課題を解決するため、この発明は、基板の周囲に各一対の側壁及び端壁を設けた梱包用緩衝体において、前記基板及び側壁をなす基本部材と、前記端壁をなす端部材とを別体とし、前記側壁及び端壁を各部材の巻き込みにより形成し、その頂部に交互に逆方向に振れる緩衝爪を設け、前記端壁のスリットに前記側壁の端部を差し込んで、前記両部材を一体化したのである。
【０００７】
この緩衝体では、側壁及び端壁が筒構造となり、その頂部の緩衝爪は保形性及び緩衝性に優れているので、外周のいずれの方向から大きな衝撃が作用しても、側壁や端壁が潰れることはなく、被梱包物に伝わる衝撃が緩和される。
【０００８】
また、前記端部材の延長部を巻き込んで緩衝筒を形成し、この緩衝筒を前記基板の表面又は背面に沿わせ、前記緩衝筒に交互に逆方向に振れる緩衝爪を設けると、基板側からの衝撃にも強く、緩衝性に優れたものとなる。
【０００９】
また、前記側壁及び端壁のうち、緩衝爪を有しないものの内面を、弧状の折目線に沿って湾曲させると、被梱包物の曲面に対応することができる。
【００１０】
【発明の実施の形態】
この発明の第１実施形態を図１乃至図４に基づいて説明する。この緩衝体は、図３に示すように、１個の基本部材１と、２個の端部材２とから成り、これらはそれぞれ図１及び図２に示す段ボール製ブランクから形成されている。
【００１１】
図１に示す基本部材１のブランクにおいて、基板１１の対向端縁には、外側板１２、内側板１３及び重合板１４が順次連設され、外側板１２と内側板１３の間には、並列する切目１５及び千鳥状の折目１６が設けられている。基板１１には先拡がりのロック片１７が、外側板２にはロック片１７の先端よりも狭幅のロック孔１８がそれぞれ設けられている。
【００１２】
また、図２に示す端部材２のブランクにおいて、外端板２１の一端縁には内端板２２及び重合板２３が順次連設され、外端板２１の他端縁には外底板２４、内底板２５及び重合板２６が順次連設されている。外端板２１と内端板２２の間、及び外底板２４と内底板２５の間には、並列する切目２７及び千鳥状の折目２８が設けられ、内端板２２及び内底板２５にはそれぞれ一対のスリット２９が設けられている。外底板２４には先拡がりのロック片３０が、内端板２２にはロック片３０の先端よりも狭幅のロック孔３１がそれぞれ設けられている。
【００１３】
上記のようなブランクから緩衝体を形成するには、図３に示すように、基本部材１において、基板１１に対し外側板１２、内側板１３及び重合板１４を巻き込み、一対の側壁３を形成する。このとき、外側板１２と内側板１３の稜部には、交互に逆方向に振れる緩衝爪４が形成される。そして、ロック片１７をロック孔１８に押し込んで側壁３における巻込の戻りを防止する。
【００１４】
また、端部材２において、外底板２４に対し外端板２１、内端板２２及び重合板２３を巻き込んで端壁５を形成し、ロック片３０をロック孔３１に押し込んで端壁５における巻込の戻りを防止した後、外底板２４、内底板２５及び重合板２６を巻き込んで緩衝筒６を形成する。このとき、外端板２１と内端板２２の稜部には緩衝爪７が、外底板２４と内底板２５の稜部には緩衝爪８がそれぞれ形成される。
【００１５】
そして、図４に示すように、スリット２９に内側板１３の端部を差し込んで、端部材２を基本部材１に取り付けると、緩衝体が完成する。この状態において、緩衝筒６は、基板１１の表面に沿う。
【００１６】
この緩衝体による梱包に際しては、一対の緩衝体を対向させ、被梱包物の両端部を各一対の側壁３及び端壁５で囲まれた凹所に挿入し、両緩衝体と共に被梱包物を外箱に収納する。
【００１７】
このように梱包すると、上記緩衝体では、側壁３及び端壁５が筒構造とされ、その頂部に保形性及び緩衝性に優れた緩衝爪４、７が設けられているので、緩衝体外周のいずれの方向から大きな衝撃が作用しても、側壁３や端壁５が潰れることはなく、被梱包物に伝わる衝撃が緩和される。また、緩衝爪８を有する緩衝筒６が基板１１に沿っているので、基板１１側からの衝撃も緩和される。
【００１８】
次に、この発明の第２実施形態を図５乃至図８に基づいて説明する。なお、ここでは、上記第１実施形態との相違点についてのみ述べるものとする。
【００１９】
この緩衝体の基本部材１のブランクでは、図５に示すように、一方の外側板１２と内側板１３との間に切目１５及び折目１６がなく、この内側板１３には、中央部が湾入する弧状の折目線４０と、この折目線４０から両側へかけて外側板１２へ向かう斜折線４１と、折目線４０と斜折線４１の交点から重合板１４へ向かう縦折線４２とが設けられている。また、この重合板１４には縦折線４２の延長線上に切込４３が設けられ、基板１１には、ロック片１７に加えて先拡がりのロック片１９が設けられている。
【００２０】
また、図６に示す端部材２のブランクでは、内端板２２にのみ一対のスリット２９が設けられ、その一方のスリット２９は斜向している。内底板２５には、ロック片１９に対応して、その先端より狭幅のロック孔３２が設けられている。
【００２１】
そして、基本部材１のブランクの組み立てに際しては、図７に示すように、側壁３の形成時に、弧状の折目線４０を有する内側板１３を、斜折線４１及び縦目線４２に沿って折り曲げつつ、折目線４０に沿って湾曲させる。
【００２２】
また、端部材２のブランクの組み立てに際しては、重合板２３、２６をそれぞれ内底板２５及び外端板２１に沿わせ、ロック片３０をロック孔３１に押し込んで緩衝筒６の巻込の戻りを防止する。
【００２３】
そして、この端部材２を基本部材１に取り付けるには、図８に示すように、湾曲した内側板１３を斜向するスリット２９に対応させ、各内側板１３の端部をそれぞれスリット２９に差し込みつつ、基板１１を重合板２３と内底板２５の間に挿入し、ロック片１９をロック孔３２に押し込み、基本部材１から端部材２を抜け止めする。
【００２４】
このような緩衝体では、被梱包物が曲面を有するものであっても、その曲面を内側板１３に沿わせることができ、さらに、緩衝筒６にはスリット２９がなく、強度に優れた緩衝筒６が基板１１の背面に位置しているので、被梱包物を大きな面積で受け止めて確実に緩衝できる。
【００２５】
【発明の効果】
以上のように、この発明に係る厚紙製緩衝体は、側壁及び端壁を筒構造とし、その頂部に保形性及び緩衝性に優れた緩衝爪を設けたので、外周のいずれの方向から大きな衝撃が作用しても、側壁や端壁が潰れることはなく、被梱包物に伝わる衝撃を緩和することができる。
【図面の簡単な説明】
【図１】この発明の第１実施形態の基本部材のブランクを示す図
【図２】同上の端部材のブランクを示す図
【図３】同上の各部材の組立状態の分離斜視図
【図４】同上の完成状態を示す斜視図
【図５】この発明の第２実施形態の基本部材のブランクを示す図
【図６】同上の端部材のブランクを示す図
【図７】同上の各部材の組立状態の分離斜視図
【図８】同上の完成状態を示す斜視図
【図９】従来の緩衝体を示す斜視図
【符号の説明】
１  基本部材
２  端部材
３  側壁
４、７、８  緩衝爪
５  端壁
６  緩衝筒
１１  基板
１２  外側板
１３  内側板
２１  外端板
２２  内端板
２４  外底板
２５  内底板
２９  スリット
４０  折目線
【図１】
0004338846.tif 000002
【図２】
0004338846.tif 000003
【図３】
0004338846.tif 000004
【図４】
0004338846.tif 000005
【図５】
0004338846.tif 000006
【図６】
0004338846.tif 000007
【図７】
0004338846.tif 000008
【図８】
0004338846.tif 000009
【図９】
0004338846.tif 000010